(57)【特許請求の範囲】
【請求項１】
着信時に演奏する原曲メロディの識別情報並びに原曲メロディをどのように編曲するかの編曲条件を発信者番号ごとに記憶する設定データ格納手段と、前記設定データ格納手段に記憶された発信者番号から着信がある度に前記発信者番号に対応する原曲メロディを前記発信者番号に対応する編曲条件に従って編曲する編曲メロディ作成手段と、前記編曲した編曲メロディまたは前記編曲条件が設定されていない場合には原曲メロディのうちのいずれかを着信音発生手段から発生させる着信音発生制御手段を備えたことを特徴とする通信端末装置。
【請求項２】
発信者番号記入欄が設けられた相手先登録シートを読み取る読取手段と、該読取手段により読み取った前記相手先登録シートの内容を解析して前記設定データ格納手段に格納するシート認識手段とを備え、
前記相手先登録シートに前記編曲条件を指定する編曲条件記入欄を設け、前記編曲条件を発信者番号ごとに指定するようにしたことを特徴とする請求項１に記載の通信端末装置。
【請求項３】
親機と子機とを有し、前記編曲メロディデータ作成手段が親機に設けられ、ここで前記編曲条件にしたがって作成された編曲メロディデータを前記子機に転送するようにしたことを特徴とする請求項１若しくは請求項２に記載の通信端末装置。
【請求項４】
親機と子機とを有し、前記編曲メロディデータ作成手段が、前記原曲メロディをもとにして、同時に演奏することにより音楽的効果を与える複数のメロディを作成し、該複数のメロディを親機と子機とで別に演奏するようにしたことを特徴とする請求項１乃至請求項３のいずれかに記載の通信端末装置。
【請求項５】
原曲メロディの各音ごとの音情報記入欄が設けられたメロディ入力シートを読み取る読取手段と、該読取手段により読み取った前記メロディ入力シートの内容を解析して前記着信音データ格納手段に格納するシート認識手段とを備え、
前記メロディ入力シートに前記編曲条件を指定する編曲条件記入欄を設け、前記編曲条件を前記原曲メロディごとに指定するようにしたことを特徴とする請求項１乃至請求項４のいずれかに記載の通信端末装置。
【請求項６】
着信時に演奏する原曲メロディの識別情報並びに原曲メロディをどのように編曲するかの編曲条件を発信者番号ごとに予め記憶し、前記記憶された発信者番号から着信がある度に前記発信者番号に対応する原曲メロディを前記発信者番号に対応する編曲条件に従って編曲し、前記編曲した編曲メロディまたは前記編曲条件が設定されていない場合には原曲メロディのうちのいずれかを着信音として発生させることを特徴とする通信端末装置の着信音発生方法。
【発明の詳細な説明】
【０００１】
【発明の属する技術分野】
本発明は、予め登録された着信メロディを着信に応じて演奏する着信メロディ機能を備えた通信端末装置及びその着信音発生方法に関するものである。
【０００２】
【従来の技術】
電話機やファクシミリ装置などの通信端末装置には、単調な呼び出し音に代えて著名な楽曲などをもとにしたメロディ音を発生する着信メロディ機能を備えたものが広く利用されており、このような通信端末装置では、発信者ごとに別々の曲を指定して、着信した発信者番号に対応したものを演奏させるようにすると、着信メロディを聴いただけで発信者を識別することが可能になる（特開平１０−１９０７７９号公報参照）。
【０００３】
また、このような着信メロディ機能を備えた通信端末装置の中には、装置に予め用意された曲目の中からから適宜に選択する他、使用者が好みの曲を楽譜にしたがって新規に登録することが可能な機能を備えたものもあり、これによると、登録曲数を増やして多くの発信者に着信メロディを割り振ることができる他、自作あるいは編曲による独自の着信メロディを楽しむことが可能になる。
【０００４】
【発明が解決しようとする課題】
ところが、着信メロディ曲を新規に登録するには、音階や音の長さなどの音情報を１音ずつ指定する必要があり、操作が煩雑で手間を要する。また、着信メロディの新規登録には、メロディデータを格納するための大きなメモリ容量を必要とするため、自ずと曲の登録数に限界があり、曲が重複しないように発信者に割り振ろうとすると発信者の登録数が制限される。
【０００５】
本発明は、このような従来技術の問題点を解消するべく案出されたものであり、その主な目的は、装置に予め用意されたものとは異なる着信メロディを、煩雑な登録操作を行わずとも使用者の好みに応じて手軽に使用することができ、さらに、着信メロディで発信者を識別し得るように曲を発信者ごとに割り振る場合にメモリ容量の増大を抑えつつ登録数を増やすことができるように構成された通信端末装置及びその着信音発生方法を提供することにある。
【０００６】
【課題を解決するための手段】
このような目的を果たすために、本発明においては、着信メロディ機能を備えた通信端末装置の構成を、着信時に演奏する原曲メロディの識別情報並びに原曲メロディをどのように編曲するかの編曲条件を発信者番号ごとに記憶する設定データ格納手段と、前記設定データ格納手段に記憶された発信者番号からの着信時に前記発信者番号に対応する原曲メロディを前記発信者番号に対応する編曲条件に従って編曲する編曲メロディ作成手段と、前記編曲した編曲メロディまたは前記編曲条件が設定されていない場合には原曲メロディのうちのいずれかを着信音発生手段から発生させる着信音発生制御手段を備えたものとした。
【０００７】
これによると、原曲メロディとは印象の異なる編曲メロディを、煩雑な登録操作を行わなくても手軽に作成して使用することができる。この場合、複数の編曲条件を用意して適宜に選択する構成とすることが望ましい。なお、編曲の対象となる原曲メロディは、装置に予め用意されたものもしくは使用者が新規に登録したもののいずれも可能である。
【０００８】
この場合、設定データの登録時に編曲メロディデータを作成して着信音データ格納手段に予め格納しておく構成も可能であるが、着信の度に編曲メロディデータを作成する構成とすれば、編曲メロディデータの格納が不要となり、着信音データ格納手段の容量が少なくて済む。
【０００９】
また、編曲条件としては、原曲メロディの各音の音情報に変更を加えるもの、例えば、原曲メロディの各音の音階を音楽規則に従って全体的に変更する曲調の変更（転調）、並びに原曲メロディの各音の長さを所定の割合で全体的に変更する速さの変更を挙げることができる。あるいは、原曲メロディを主メロディとし、この主メロディと同時に演奏することにより所定の音楽的効果、例えば和音効果や輪唱効果を与える副メロディを主メロディに付加して編曲メロディとする構成も可能である。
【００１１】
また、原曲メロディの他に編曲メロディを発信者に割り振ることでより多くの発信者を登録することができる。この場合、編曲条件による編曲メロディの選択肢を多くすることで、登録発信者数を増やすことができるが、編曲メロディと原曲メロディとを容易に識別可能なように編曲条件を設定する必要がある。
【００１２】
前記通信端末装置においては、発信者番号記入欄が設けられた相手先登録シートを読み取る読取手段と、この読取手段により読み取った相手先登録シートの内容を解析して設定データ格納手段に格納するシート認識手段とを備え、相手先登録シートに編曲条件を指定する編曲条件記入欄を設け、編曲条件を発信者番号ごとに指定するようにした構成をとることができる。
【００１３】
これによると、発信者ごとの編曲条件の登録が容易になる。この場合、編曲の対象となる原曲メロディが複数ある場合にはそのうちのいずれかを指定しておく必要があり、発信者ごとのメロディを指定するメロディ曲目記入欄を設けた相手先登録シートを別途用意するか、もしくは編曲条件記入欄及びメロディ曲目記入欄の双方が設けられた相手先登録シートを用いると良い。
【００１４】
前記通信端末装置においては、親機と子機とを有し、編曲メロディデータ作成手段が親機に設けられ、ここで編曲条件にしたがって作成された編曲メロディデータを子機に転送するようにした構成をとることができる。
【００１５】
これによると、編曲メロディデータ作成手段を親機と子機とに別々に設けることによる製造コストの上昇を避けることができる。この場合、子機に転送されたメロディデータは、子機側の着信音データ格納部に格納する構成としても良いが、着信の度に所要のメロディデータを子機に転送する構成も可能である。また、親機と子機とで異なるメロディを演奏する場合、親機側の編曲メロディデータ作成手段で一括してメロディデータを作成し、子機用メロディデータのみ子機に転送すれば良い。
【００１６】
前記通信端末装置においては、親機と子機とを有し、編曲メロディデータ作成手段が、原曲メロディをもとにして、同時に演奏することにより音楽的効果を与える複数の互いに異なるメロディを作成し、この複数のメロディを親機と子機とで別に演奏するようにした構成をとることができる。
【００１７】
これによると、複数の互いに異なるメロディが離れた位置から聞こえる音響効果により趣向に富んだ着信メロディを楽しむことができる。この場合、複数のメロディの合成による音楽的効果として、輪唱が好適であるが、和音も可能である。さらに立体感を高める音響効果など、種々の構成が可能である。
【００１８】
前記通信端末装置においては、原曲メロディの各音ごとの音情報記入欄が設けられたメロディ入力シートを読み取る読取手段と、この読取手段により読み取ったメロディ入力シートの内容を解析して着信音データ格納手段に格納するシート認識手段とを備え、メロディ入力シートに編曲条件を指定する編曲条件記入欄を設け、編曲条件を原曲メロディごとに指定するようにした構成をとることができる。
【００１９】
これによると、編曲条件の登録操作が容易になる。特に和音・輪唱では原曲メロディにより編曲の適不適があり、原曲メロディごとに登録することが望ましく、この場合、原曲メロディの音情報の登録と編曲条件の指定とを一括して行うことができる。
【００２０】
また、本発明においては、着信メロディ機能を備えた通信端末装置において着信音を発生させるにあたり、着信音データ格納手段に格納された原曲メロディをもとに、予め用意された編曲条件にしたがって編曲メロディ作成手段により編曲メロディを作成し、編曲条件に基づく編曲メロディ及び原曲メロディのうちのいずれかを、設定データ格納手段に格納された設定データに基づいて着信音発生手段から発生させるものとした。
【００２１】
これによると、原曲メロディとは印象の異なる編曲メロディを、煩雑な登録操作を行わなくても手軽に作成して使用することができる。
【００２２】
【発明の実施の形態】
以下に添付の図面を参照して本発明の構成を詳細に説明する。
【００２３】
図１は、本発明が適用されたファクシミリ装置の全体構成を示している。このファクシミリ装置は、装置全体の制御を行う主制御部１と、回線との間でのデータの送受信を行う回線制御部２及びモデム部３と、原稿の読み取りを行う読取部４と、受信した画情報や登録されたデータを印字する印刷部５と、主制御部１を動作させるプログラムを格納したＲＯＭ６と、送受信中の画情報などを記憶するＲＡＭ７と、画情報の送信や種々の設定などの操作を行う操作部８と、装置の動作状況や登録内容を表示する表示部９と、これら各部を備えた親機１０とは別にこれと離れた位置で通話が可能な子機１１との間を接続する送受信部１２とを有している。
【００２４】
このファクシミリ装置は、図２に示すように、着信音データ格納部２１に格納された着信メロディを着信に応じて演奏する着信メロディ機能を備えており、原曲メロディデータ格納部２２に格納された原曲メロディをもとに、予め用意された編曲条件にしたがって編曲メロディを作成する編曲メロディデータ作成部２４と、編曲条件に基づく編曲メロディ及び原曲メロディのうちのいずれかを、設定データ格納部２３に格納された設定データに基づいて着信音発生部２５から発生させる着信音発生制御部２６を備えている。編曲メロディデータ作成部２４で作成された編曲メロディは編曲メロディデータ格納部２７に格納される。
【００２５】
着信音データ格納部２１はＲＡＭ７内に設けられ、着信音発生制御部２６は図１に示す主制御部１内に設けられる。着信音発生部２５は、モデム部３でのＤ／Ａ変換機能を用いて着信メロディを発生するものとすれば良いが、別途ＦＭ音源などを設けるようにしても良い。
【００２６】
設定データ格納部２３には、編曲条件に基づく編曲メロディ及び原曲メロディを発信者ごとに指定する設定データが格納され、着信音発生制御部２６において原曲メロディ及び編曲メロディの中から着信した発信者番号に対応したものを着信音発生部２５から発生させるようになっている。
【００２７】
また、本ファクシミリ装置では、発信者番号記入欄が設けられた相手先登録シートを図１に示した読取部４において読み取り、ここで読み取った相手先登録シートの内容を主制御部（シート認識手段）１にて解析して設定データ格納部２３に格納するようになっている。
【００２８】
図３及び図４は、相手先登録シートの一例（相手先登録用紙）を示している。図３では、発信者の氏名（苗字及び名前）が記入される発信者名記入欄４１と、発信者の番号が記入される発信者番号記入欄４２とが設けられている。発信者名記入欄４１には氏名の読みを表す仮名文字が１文字ずつ記入される枠が設けられ、発信者番号記入欄４２には番号を表す数字が１文字ずつ記入される枠が設けられ、文字読み取り方式（ＯＣＲ方式）で認識されるようになっている。
【００２９】
さらに、この相手先登録シートには、編曲条件を指定する編曲条件記入欄４３が設けられており、編曲条件を発信者番号ごとに指定するようになっている。編曲条件記入欄４３は、曲調の明暗を指定する曲調記入欄４４と、速さ（テンポ）の遅速を指定する速さ記入欄４５とが設けられ、枠内の塗り潰しによるマークの有無で曲調の明暗及び速さの遅速を判定するマーク読み取り方式（ＯＭＲ方式）で認識されるようになっている。この相手先登録シートの上端には、シート種別を判別するためのシート種別欄４６にマークが予め印刷されている。
【００３０】
これにより、曲調では、「明るく」及び「暗く」と、記入がない場合の標準の３段階の指定が可能であり、速さでは、「速く」及び「遅く」と、記入がない場合の標準の３段階の指定が可能であり、これら曲調の変更及び速さの変更の組み合わせにより合計９通りの指定が可能である。
【００３１】
図４に示す相手先登録シートは、前記図３に示す相手先登録シートと同様、発信者名記入欄５１及び発信者番号記入欄５２が設けらると共に、着信メロディ番号を指定する着信メロディ番号記入欄５３が設けられており、着信メロディ（原曲メロディ）を発信者番号ごとに登録するようになっている。着信メロディ番号記入欄５３には、登録済みの着信メロディごとに割り振られた通し番号を表す数字が１文字ずつ記入される枠が設けられ、文字読み取り方式（ＯＣＲ方式）で認識されるようになっている。この相手先登録シートの上端にも、シート種別を判別するためのシート種別欄５６にマークが予め印刷されている。
【００３２】
図５は、着信の後に発信者番号に対応した着信メロディの演奏までの発信者番号判断動作のフローを示している。ここでは、まずステップ１０１で、着信した発信者番号が登録済みか否かを判定し、登録済みでなければステップ１０２に進んで装置既定の標準の着信メロディを演奏する。
【００３３】
ステップ１０１で登録済みと判定されるとステップ１０３に進み、発信者番号こどに指定された着信メロディ番号を判定し、ついでステップ１０４で発信者番号ごとに指定された編曲条件を判定し、これらの判定結果に基づきステップ１０５で指定の原曲メロディを指定の編曲条件で編曲した編曲メロディを演奏する。
【００３４】
図２に示した編曲メロディデータ作成部２４は、図１に示す親機１０の主制御部１内に設けられ、ここで編曲条件にしたがって作成された編曲メロディデータは、図２に示す子機用メロディデータ転送部２９を介して子機１１に転送するようになっている。子機１１に転送されたメロディデータは、子機１１側の着信音データ格納部に格納する構成としても良いが、着信の度に所要のメロディデータを子機１１に転送する構成も可能である。
【００３５】
また、編曲メロディデータ作成部２４では、原曲メロディをもとにして、同時に演奏することにより音楽的効果を与える複数のメロディが作成され、これら複数のメロディを親機１０と子機１１とで別々に演奏することができる。例えば、親機１０で主メロディとしての原曲メロディをそのまま演奏し、子機１１で輪唱となる副メロディを演奏する。
【００３６】
さらに、本ファクシミリ装置では、原曲メロディの各音ごとの音情報記入欄が設けられたメロディ入力シートを図１に示した読取部４で読み取り、ここで読み取ったメロディ入力シートの内容を主制御部（シート認識手段）１にて解析して原曲メロディの各音ごとの音情報を原曲メロディデータ格納部２２に格納するようになっている。
【００３７】
図６は、メロディ入力シート（着メロ登録用紙）の一例を示している。ここでは、着信メロディの各音ごとの音情報記入欄６１が順に列べて配置され、各音情報記入欄６１には、音階、シャープ（＃）の有無及び音の長さを指定するために文字または数字がそれぞれ１字ずつ記入される音階欄６２、シャープ欄６３及び長さ欄６４が設けられ、文字読み取り方式（ＯＣＲ方式）で認識されるようになっている。
【００３８】
音階欄６２には、例えば「０」から「９」の１０個の数字及び「Ａ」、「Ｂ」、「Ｃ」、「Ｄ」、「Ｅ」、「Ｆ」、「Ｇ」、「Ｈ」、「Ｉ」、「Ｊ」及び「Ｋ」の１１個のアルファベットのいずれか１つが記入されて、３オクターブに亘る７個の音階「ド」、「レ」、「ミ」、「ファ」、「ソ」、「ラ」及び「シ」、即ち２１個の音階の１つが指定される。シャープ欄６３には、例えば＃の有無を指定する「０」及び「１」のいずれかが記入される。長さ欄６４には、例えば「０」、「１」、「２」、「４」、「８」及び「Ｆ」のいずれかが記入され、休符、全符号、２分音符、４分音符、８分音符及び１６分音符のいずれかが指定される。
【００３９】
また、このメロディ入力シートには、編曲条件を指定する編曲条件記入欄６６が設けられ、編曲条件を原曲メロディごとに指定するようになっている。編曲条件記入欄６６は、和音による編曲の有無を指定する和音指定記入欄６７と、輪唱による編曲の有無を指定する輪唱指定記入欄６８とが設けられ、枠内の塗り潰しによるマークの有無で和音指定の有無及び輪唱指定の有無を判定するマーク読み取り方式（ＯＭＲ方式）で認識されるようになっている。登録シートの上端には、シート種別を判別するためのシート種別欄６９にマークが予め印刷されている。
【００４０】
なお、前記の例では音情報の認識を文字読み取り方式（ＯＣＲ方式）で行うものとしたが、マークシート方式（ＯＭＲ方式）による構成も可能である。この場合、例えばドからシまでの７つの音階に対応するマーク欄と、「＃」に対応するマーク欄と、１から１６までの５種類の音符の長さに対応するマーク欄と、休符に対応するマーク欄と、終了を指定するためのマーク欄とで１音ごとに音情報を指定するものとし、これらのマーク欄を想定される音の数だけ列べて設けられたシートを用いれば良い。
【００４１】
図７・図８・図９は、編曲メロディデータ作成部２４での編曲メロディデータ作成動作のフローを示している。まず、図７に示すステップ２０１で、和音指定の有無を判定し、和音指定があるとステップ２０２に進んで和音データ作成を行い、和音指定がないとステップ２０３に進んで輪唱指定の有無を判定し、輪唱指定があるとステップ２０４に進んで輪唱データ作成を行い、輪唱指定がないと終了する。ここでは、和音指定を優先し、和音及び輪唱のいずれか一方が選択される。
【００４２】
図７に示すステップ２０２での和音データ作成動作では、原曲メロディをもとにしてその和音で構成された編曲メロディをデータ変換テーブルを用いて作成する。すなわち、図８に示すように、まずステップ３０１で原曲メロディデータ格納部２２から原曲メロディデータを入手し、ステップ３０２で和音データ変換テーブルを参照して編曲メロディデータを作成し、ステップ３０３で編曲メロディデータを編曲メロディデータ格納部２７に格納する。ステップ３０４で、全データ終了か否かを判定し、未了であればステップ３０１に戻る。これにより、原曲メロディを１音ずつ変換して編曲メロディを作成する。
【００４３】
図７に示したステップ２０４での輪唱データ作成動作では、原曲メロディを主メロディとして、この主メロディと同時に演奏することにより輪唱効果を与える副メロディを作成する。ここでは、遅れて主メロディを繰り返すように主メロディのはじめに所定長さの休符を挿入した副メロディを作成する。
【００４４】
すなわち、図９に示すように、まずステップ４０１で主メロディとしての原曲メロディのデータを原曲メロディデータ格納部２２から入手し、ついでステップ４０２で最初の休符データか否かを判定し、最初の休符データでなければステップ４０３に進んで音符数ｎに加算し、これを最初の休符データが見つかるまで繰り返すことで最初の休符データまでの音符数ｎをカウントする。そして、ステップ４０４で音符数ｎに相当する休符を格納した後、ステップ４０５で主メロディデータを格納し、ステップ４０６で全データ終了か否かが判定され、全データ終了でなければステップ４０５に戻り、これを全データ終了まで順に繰り返す。なお、音符数ｎのカウントでは各音の長さを考慮する、例えば２分音符では１／２、４部音符では１／４として加算する。これにより、図１０に示すように、主メロディの最初の休符の後から副メロディが遅れて演奏を始め、その後、主メロディを追いかけるように副メロディが演奏される。
【００４５】
なお、本実施形態においては、相手先登録シート及びメロディ入力シートにより編曲条件を指定する例について説明したが、このようなシートによらずに操作キーの操作によって編曲条件の指定を可能とした構成しても良い。さらにこれらのシートによって相手先（氏名、発信者番号）やメロディの各音ごとの音情報の登録が可能であるが、これらの登録内容も操作キーの操作によって入力する構成とすることも可能である。
【００４６】
【発明の効果】
このように本発明によれば、装置に予め用意された曲あるいは使用者が既に登録した曲をもとにしてこれとは印象の異なる着信メロディを、煩雑な登録操作を行うことなく作成して使用することができる。さらに、着信メロディ曲を発信者に割り振る場合に、メモリ容量の増大を抑えつつ登録数を増やすことができ、利便性を高める上で大きな効果が得られる。
【図面の簡単な説明】
【図１】本発明が適用されるファクシミリ装置の全体を示すブロック図
【図２】本発明による着信メロディ機能に関わる要部のブロック図
【図３】本発明による相手先登録シートの一例を示す図
【図４】本発明による相手先登録シートの一例を示す図
【図５】本発明による発信者番号判断動作のフロー図
【図６】本発明によるメロディ入力シートの一例を示す図
【図７】本発明によるメロディデータ作成動作のフロー図
【図８】本発明による和音データ作成動作のフロー図
【図９】本発明による輪唱データ作成動作のフロー図
【図１０】本発明による輪唱メロディの作成要領を示す図
【符号の説明】
１  主制御部
２  回線制御部
３  モデム部
４  読取部
５  印刷部
６  ＲＯＭ
７  ＲＡＭ
８  操作部
９  表示部
１０  親機
１１  子機
１２  送受信部
２１  着信音データ格納部
２２  原曲メロディデータ格納部
２３  設定データ格納部
２４  編曲メロディデータ作成部
２５  着信音発生部
２６  着信音発生制御部
２７  編曲メロディデータ格納部
２９  子機用メロディデータ転送部
４１・５１  発信者名記入欄
４２・５２  発信者番号記入欄
４３  編曲条件記入欄
４４  曲調記入欄
４５  速さ記入欄
５３  着信メロディ番号記入欄
６１  音情報記入欄
６２  音階欄
６３  シャープ欄
６４  長さ欄
６６  編曲条件記入欄
６７  和音指定記入欄
６８  輪唱指定記入欄
【図１】
0003713434.tif 000002
【図２】
0003713434.tif 000003
【図３】
0003713434.tif 000004
【図４】
0003713434.tif 000005
【図５】
0003713434.tif 000006
【図６】
0003713434.tif 000007
【図７】
0003713434.tif 000008
【図８】
0003713434.tif 000009
【図９】
0003713434.tif 000010
【図１０】
0003713434.tif 000011